(57)【要約】【課題】内部記録媒体に仮想記録媒体を作成してその仮想記録媒体に放送番組等のデータを記録する場合、そのデータが異なる仮想記録媒体に分かれて記録されてしまうことを防ぐようにユーザが設定できる記録装置を提供する。【解決手段】記録装置は、内部記録媒体に、所定容量の記録領域を確保することで仮想記録媒体を作成する作成部と、作成部で作成された仮想記録媒体に対して、上記所定容量を自動的に拡張する自動容量拡張処理の実行を許可するか否かをユーザが選択可能な画面（例えば自動容量拡張設定画面３１）を出力し、ユーザ選択操作に従って許可するか否かを設定する設定部と、を備える。【選択図】図４
2010198712.tif 000002
【特許請求の範囲】
【請求項１】
外部から入力されたデータを記録するための内部記録媒体を備えた記録装置であって、
該内部記録媒体に、所定容量の記録領域を確保することで仮想記録媒体を作成する作成部と、
該作成部で作成された仮想記録媒体に対して前記所定容量を自動的に拡張する自動容量拡張処理の実行を許可するか否かを、ユーザが選択可能な画面を出力し、ユーザ選択操作に従って前記許可するか否かを設定する設定部と、
を備えたことを特徴とする記録装置。
【請求項２】
前記設定部は、前記自動容量拡張処理の実行が許可された仮想記録媒体に対して前記自動容量拡張処理の実行時に拡張用に確保する確保先を、ユーザが設定可能な画面を出力し、ユーザ設定操作に従って前記確保先を設定することを特徴とする請求項１に記載の記録装置。
【請求項３】
前記設定部は、前記確保先を確保する方法をユーザが設定可能な画面を出力し、ユーザ設定操作に従って前記方法を設定することを特徴とする請求項２に記載の記録装置。
【請求項４】
前記仮想記録媒体に前記データとして放送番組を記録する予約をユーザが設定可能な画面を出力し、ユーザ設定操作に従って前記予約を設定する予約設定部をさらに備え、
前記自動容量拡張処理の実行が許可された仮想記録媒体に対して前記予約設定部で予約設定された放送番組が前記所定容量を超える放送番組であった場合、該仮想記録媒体に対して前記自動容量拡張処理を実行することを特徴とする請求項１〜３のいずれか１項に記載の記録装置。
【請求項５】
前記自動容量拡張処理の実行が許可されていない仮想記録媒体に対して前記予約設定部で予約設定された放送番組が前記所定容量を超える放送番組であった場合に、警告文及び操作誘導文を含む警告画面を出力する警告部をさらに備えたことを特徴とする請求項４に記載の記録装置。
【請求項６】
前記仮想記録媒体に前記データとして現在放送中の放送番組を記録するユーザ指示操作を受け付ける記録指示受付部をさらに備え、
前記自動容量拡張処理の実行が許可された仮想記録媒体に対して前記記録指示受付部で受け付けた放送番組を記録している場合、該仮想記録媒体の記録残量が所定量以下となったときに、該仮想記録媒体に対して前記自動容量拡張処理を実行することを特徴とする請求項１〜５のいずれか１項に記載の記録装置。
【請求項７】
前記自動容量拡張処理の実行が許可されていない仮想記録媒体に対して前記記録指示受付部で受け付けた放送番組を記録している場合、該仮想記録媒体の記録残量が所定量以下となったときに、警告文及び操作誘導文を含む警告画面を出力する警告部をさらに備えたことを特徴とする請求項６に記載の記録装置。
【請求項８】
外部記録媒体を駆動する駆動装置をさらに備え、前記所定容量は、前記駆動装置で駆動可能な外部記録媒体の記録容量に対応した容量であることを特徴とする請求項１〜７のいずれか１項に記載の記録装置。
【請求項９】
外部から入力されたデータを記録するための内部記録媒体を備えた記録装置における記録方法であって、
作成部が、前記内部記録媒体に、所定容量の記録領域を確保することで仮想記録媒体を作成する作成ステップと、
設定部が、該作成ステップで作成された仮想記録媒体に対して、前記所定容量を自動的に拡張する自動容量拡張処理の実行を許可するか否かをユーザが選択可能な画面を出力し、ユーザ選択操作に従って前記許可するか否かを設定する設定ステップと、
を含むことを特徴とする記録方法。
【発明の詳細な説明】
【技術分野】
【０００１】
本発明は、記録装置及び記録方法に関し、より詳細には、内部記録媒体に仮想的な記録媒体を作成してその仮想的な記録媒体にデータを記録する記録装置及び記録方法に関する。
【背景技術】
【０００２】
従来から、ハードディスクなどの大容量記録媒体を仮想的に複数の記録媒体で構成されているようにユーザに提示すると共に、その仮想的な記録媒体に対して映像データや音声データを記録することが可能な録画装置が提案されている。この仮想的な記録媒体は、一般的にディスク型の記録媒体が仮想されるため、仮想ディスクと呼ばれる。
【０００３】
仮想ディスクを設定するにあたってはダビングなどを考慮し、ＤＶＤ（Digital Versatile Disc）など既存の着脱型の可搬記録媒体と同量の記録容量を確保する方法が提案されている。また、仮想ディスクの記録容量（換言すると、設定時に参照する可搬記録媒体）もユーザが自由に設定できるようになっているものもある。
【０００４】
しかし、放送番組を記録する場合、必ずしもユーザが事前に必要な容量がわかるわけではない。放送時間長を基準にして記録画質（記録するビットレート）を算出して、自動的に仮想的なディスク１枚のうちに収まるようにその画質で記録する方法も考えられるが、この場合、ＣＭなど不要な部分も記録されることにより相対的に画質が落ちてしまう。ユーザの心理としては可能な限り高画質で、しかも１枚の可搬ディスクに記録したいという要望は強い。そのためには仮想ディスクへの記録時点では画質を落とさず記録し、その後に不要なシーンを削除してから１枚の所定の可搬ディスクに記録できる最高の画質で移すことが望まれる。
【０００５】
特許文献１に記載の記録装置は、データを記録する内部記録媒体と、内部記録媒体に記録されたデータの保存先となる外部記録媒体の記録容量に対応した仮想記録媒体を、内部記録媒体に作成する作成手段と、作成手段により作成された仮想記録媒体へ、入力されたデータを記録する記録手段と、記録手段により仮想記録媒体へ記録されたデータの記録量を計測する計測手段と、作成手段により作成された仮想記録媒体の記録容量と、計測手段により計測された記録量との差から、仮想記録媒体における記録残量を演算する演算手段と、演算手段により演算された記録残量に応じた表示制御を表示装置に対して行う表示制御手段とを具備している。
【先行技術文献】
【特許文献】
【０００６】
【特許文献１】特開２００６−３３１５７７号公報
【発明の概要】
【発明が解決しようとする課題】
【０００７】
しかしながら、特許文献１に記載の記録装置では、記録中に記録残量が所定の残量以下になった場合には、新たに仮想ディスクを作成し、そのディスクに対して記録を継続するようになっているため、記録するのがテレビ放送番組などの場合にはユーザの希望に拘わらず１つの放送番組が複数の仮想ディスクへと分割されてしまう。
【０００８】
本発明は、上述のような実状に鑑みてなされたものであり、その目的は、内部記録媒体に仮想記録媒体を作成してその仮想記録媒体に放送番組等のデータを記録する場合、そのデータが異なる仮想記録媒体に分かれて記録されてしまうことを防ぐようにユーザが設定を行うことが可能な、記録装置及び記録方法を提供することにある。
【課題を解決するための手段】
【０００９】
上述の課題を解決するために、本発明の第１の技術手段は、外部から入力されたデータを記録するための内部記録媒体を備えた記録装置であって、該内部記録媒体に、所定容量の記録領域を確保することで仮想記録媒体を作成する作成部と、該作成部で作成された仮想記録媒体に対して前記所定容量を自動的に拡張する自動容量拡張処理の実行を許可するか否かを、ユーザが選択可能な画面を出力し、ユーザ選択操作に従って前記許可するか否かを設定する設定部と、を備えたことを特徴としたものである。
【００１０】
第２の技術手段は、第１の技術手段において、前記設定部は、前記自動容量拡張処理の実行が許可された仮想記録媒体に対して前記自動容量拡張処理の実行時に拡張用に確保する確保先を、ユーザが設定可能な画面を出力し、ユーザ設定操作に従って前記確保先を設定することを特徴としたものである。
【００１１】
第３の技術手段は、第２の技術手段において、前記設定部は、前記確保先を確保する方法をユーザが設定可能な画面を出力し、ユーザ設定操作に従って前記方法を設定することを特徴としたものである。
【００１２】
第４の技術手段は、第１〜第３のいずれかの技術手段において、前記仮想記録媒体に前記データとして放送番組を記録する予約をユーザが設定可能な画面を出力し、ユーザ設定操作に従って前記予約を設定する予約設定部をさらに備え、前記自動容量拡張処理の実行が許可された仮想記録媒体に対して前記予約設定部で予約設定された放送番組が前記所定容量を超える放送番組であった場合、該仮想記録媒体に対して前記自動容量拡張処理を実行することを特徴としたものである。
【００１３】
第５の技術手段は、第４の技術手段において、前記自動容量拡張処理の実行が許可されていない仮想記録媒体に対して前記予約設定部で予約設定された放送番組が前記所定容量を超える放送番組であった場合に、警告文及び操作誘導文を含む警告画面を出力する警告部をさらに備えたことを特徴としたものである。
【００１４】
第６の技術手段は、第１〜第５のいずれかの技術手段において、前記仮想記録媒体に前記データとして現在放送中の放送番組を記録するユーザ指示操作を受け付ける記録指示受付部をさらに備え、前記自動容量拡張処理の実行が許可された仮想記録媒体に対して前記記録指示受付部で受け付けた放送番組を記録している場合、該仮想記録媒体の記録残量が所定量以下となったときに、該仮想記録媒体に対して前記自動容量拡張処理を実行することを特徴としたものである。
【００１５】
第７の技術手段は、第６の技術手段において、前記自動容量拡張処理の実行が許可されていない仮想記録媒体に対して前記記録指示受付部で受け付けた放送番組を記録している場合、該仮想記録媒体の記録残量が所定量以下となったときに、警告文及び操作誘導文を含む警告画面を出力する警告部をさらに備えたことを特徴としたものである。
【００１６】
第８の技術手段は、第１〜第７のいずれかの技術手段において、外部記録媒体を駆動する駆動装置をさらに備え、前記所定容量は、前記駆動装置で駆動可能な外部記録媒体の記録容量に対応した容量であることを特徴としたものである。
【００１７】
第９の技術手段は、外部から入力されたデータを記録するための内部記録媒体を備えた記録装置における記録方法であって、作成部が、前記内部記録媒体に、所定容量の記録領域を確保することで仮想記録媒体を作成する作成ステップと、設定部が、該作成ステップで作成された仮想記録媒体に対して、前記所定容量を自動的に拡張する自動容量拡張処理の実行を許可するか否かをユーザが選択可能な画面を出力し、ユーザ選択操作に従って前記許可するか否かを設定する設定ステップと、を含むことを特徴としたものである。
【発明の効果】
【００１８】
本発明によれば、内部記録媒体に仮想記録媒体を作成してその仮想記録媒体に放送番組等のデータを記録する場合、そのデータが異なる仮想記録媒体に分かれて記録されてしまうことを防ぐようにユーザが設定を行うことが可能になる。
【図面の簡単な説明】
【００１９】
【図１】本発明に係る記録装置の一例としての録画再生装置の構成例を示すブロック図である。
【図２】図１の録画再生装置における仮想ディスク作成処理の一例を説明するためのフロー図である。
【図３】図２の仮想ディスク作成処理における容量設定画面の一例を示す図である。
【図４】図２の仮想ディスク作成処理における自動容量拡張設定画面の一例を示す図である。
【図５】図２の仮想ディスク作成処理における確保先・確保方法設定画面の一例を示す図である。
【図６】図１の録画再生装置における仮想ディスク設定変更処理で表示させる既存の仮想ディスクの設定変更画面の一例を示す図である。
【図７】図１の録画再生装置における予約録画処理の一例を説明するためのフロー図である。
【図８】図７に続くフロー図である。
【図９】図７及び図８の予約録画処理において表示される録画予約確認画面の一例を示す図である。
【図１０】図１の録画再生装置におけるコピー／ムーブ処理の一例を説明するためのフロー図である。
【図１１】図１０のコピー／ムーブ処理において表示されるコピー／ムーブ元仮想ディスク選択画面の一例を示す図である。
【発明を実施するための形態】
【００２０】
本発明に係る記録装置は、放送受信部で受信した放送番組など、外部から入力されたデータを記録するための内部記録媒体を備える。さらに、本発明に係る記録装置は、その内部記録媒体に、所定容量の記録領域を確保することで仮想的な記録媒体（仮想記録媒体という）を作成する作成部を備える。この作成部は、換言すると、内部記録媒体において所定容量の記録領域を仮想記録媒体用に確保して仮想記録媒体を作成する。
【００２１】
これにより、記録装置は、作成された仮想記録媒体にアクセスする際、ソフトウェア的にその所定容量をもった記録媒体がマウントされている状態をエミュレートして、あたかもその記録媒体をドライブに挿入してアクセスしているかのように制御できる。仮想記録媒体としてはディスク型の外部記録媒体へのコピー／ムーブを前提を想定して作成されることが多いため、以下、仮想記録媒体を「仮想ディスク」と呼ぶ。
【００２２】
そして、本発明の主たる特徴として、記録装置は、上記作成部で作成された仮想ディスクに対して、作成時の所定容量を自動的に拡張する自動容量拡張処理の実行を許可するか否かを、ユーザが選択可能な画面を出力し、ユーザ選択操作に従って許可するか否かを設定する設定部を備える。この設定部は、ユーザがこのような設定を行うためのユーザインターフェースと、設定結果を格納するメモリ等の記憶部とで構成できる。
【００２３】
以下、本発明に係る記録装置について、再生機能も備えた録画再生機器を例に挙げて図面を参照しながらその概要を説明する。但し、本発明において再生機能は必須ではなく、また録画再生機器として構成する場合にも以下に例示する構成に限ったものではない。なお、再生機能を備えない録画機器の場合には、外部に接続した再生機器から録画機器内のデータが読み出し可能な構成であれば再生も可能である。
【００２４】
また、以下の説明では、放送番組の信号（放送信号）が映像信号及び音声信号の双方を含んでいることを前提とし、本発明に係る記録装置について録画再生装置を挙げているが、例えばラジオ用の記録装置又は記録再生装置として構成することもできる。また、本発明では、放送番組に限らず例えばストリーム配信されたデータなど外部から入力されたデータであれば、記録対象として同様に適用することができる。
【００２５】
図１は、本発明に係る記録装置の一例としての録画再生装置の構成例を示すブロック図である。図１で例示する録画再生装置１は、ハードディスク１０、チューナ１２、トランスコーダ１３、入出力Ｉ／Ｆ（Interface）１４、制御部１５、リモコン受信部１６、デコーダ１７、音声出力部１８、及び表示出力部１９を備えている。
【００２６】
制御部１５は、上記作成部及び設定部の一部を含み、装置全体を制御するためのＣＰＵ（Central Processing Unit）、ＲＡＭ（Random Access Memory）、ＲＯＭ（Read Only Memory）等で構成される。制御部１５では、以下に説明するような処理手順を実行するためのコンピュータ読み取り可能なプログラムを、ＣＰＵでＲＡＭに読み出しながら実行できるように、ＲＯＭ等に格納しておけばよい。つまり、上記作成部と上記設定部の一部とは制御部１５内のプログラムで実現できる。上記設定部で設定された情報は、制御部１５内の内部メモリか、若しくは後述するハードディスク１０に保存しておけばよい。
【００２７】
リモコン受信部１６は、リモコン等の操作入力手段からの操作信号を受光する受光部を備え、受光した操作信号を解釈して制御部１５に渡している。各種ユーザ設定も、リモコン等を介してリモコン受信部１６が受け取ることになる。なお、操作は録画再生装置１の本体に具備した図示しない操作ボタンによっても可能である。このように、リモコン受信部１６や操作ボタンは、上記設定部のうちユーザが行った操作を受け付ける部位に相当する。
【００２８】
チューナ１２は、上記放送受信部の一例であり、アンテナ１１を経由してデジタル放送波を受信できる構成を有する。勿論、チューナ１２は、アナログ放送波とデジタル放送波の両方を受信できる構成としてもよいし、アナログ放送波のみを受信できる構成としてもよい。また、ＳＴＢ（Set Top Box）などによりチューナを外部接続する場合には、チューナ１２を設けなくてもよい。チューナ１２や外部接続のための端子等は、トランスコーダ１３、制御部１５、及びデコーダ１７等でなるバックエンド部に対して、フロントエンド部と呼ばれることもある。
【００２９】
録画再生装置１は、受信した放送信号を再生する再生部を有し、この再生部は、主として、デコーダ１７、音声出力部１８、及び表示出力部１９で例示できる。音声出力部１８は、アンテナ１１を経由して受信したデジタル放送番組や可搬記録媒体やハードディスク１０内に記録されたコンテンツの音声データに対して各種処理を施す音声処理部と、処理後の音声データを図示しない内蔵スピーカ又は外部スピーカに音声として出力する音声出力端子とで、主に構成される。
【００３０】
表示出力部１９は、上記設定部のうちユーザに提示する設定画面の画像をＯＳＤ（On Screen Display）画像などとして出力する部位に相当する。さらに、表示出力部１９は、アンテナ１１を経由して受信したデジタル放送番組や、可搬記録媒体やハードディスク１０内に記録されたコンテンツの映像データ及び付加データに対して、各種映像処理を施す映像処理部と、処理後の映像データ等を図示しない内蔵又は外部接続された表示装置に出力する映像出力端子とで、主に構成される。この表示装置としては、例えば、ＣＲＴ（Cathode-ray Tube）装置、プラズマ表示装置、液晶表示装置、有機／無機ＥＬ（electroluminescence）装置などが挙げられる。また、表示出力部１９は、制御部１５の制御によって生成される録画コンテンツの一覧や、特定の録画コンテンツから生成した複数のサムネイルの一覧などを上記表示装置に出力することも可能である。
【００３１】
録画再生装置１を用いてデジタル放送を視聴する場合、チューナ１２は、アンテナ１１から入力された高周波信号（デジタル変調信号）を復調し、その復調信号をデコーダ１７に入力する。デコーダ１７は、入力された復調信号を映像信号と音声信号と付加信号とに分離して復号した後、その復号信号から表示制御出力信号及びそれに同期した音声制御出力信号を生成し、その表示制御出力信号を表示出力部１９に出力し、音声制御出力信号を音声出力部１８に出力する。上記表示制御出力信号は、付加信号から生成された復号信号を映像信号から生成された復号信号に重畳した信号に関する出力信号であり、設定画面のＯＳＤ画像を出力する場合には、このＯＳＤ画像の信号をさらに重畳した信号に関する出力信号となる。
【００３２】
表示出力部１９から出力された表示制御出力信号は、内蔵又は外部接続されたテレビ装置又はモニタ装置などの表示装置に入力され、その表示画面により、ユーザは表示制御出力信号に対応したデジタル放送番組の映像及び付加情報や設定画面の画像を見ることができる。音声出力部１８から出力された音声制御出力信号は、内蔵又は外部接続されたテレビ装置又はモニタ装置などのスピーカ付き表示装置に入力され、そのスピーカにより、ユーザは音声制御出力信号に対応したデジタル放送番組の音声を聴くことができる。なお、チューナ１２をアナログ放送受信可能に構成した場合には、デコーダ１７もアナログ対応可能に構成しておけば、そのアナログ放送を視聴することが可能である。
【００３３】
また、後述するハードディスク１０又は可搬記録媒体に記録されているコンテンツを再生する場合、リモコンや本体操作ボタンからのユーザによる再生指示に基づき、制御部１５が次のような制御を行う。すなわち、デコーダ１７が、ハードディスク１０又は可搬記録媒体に記録されているコンテンツのデータを復号した後、映像データ及び付加データについては映像出力可能な形式に変換して表示出力部１９に出力し、音声データについては音声出力可能な形式に変換して、音声出力部１８に映像データと同期させて出力する。この再生指示は、勿論、ハードディスク１０内の仮想ディスク内のデータに対しても行うことが可能である。
【００３４】
上記内部記録媒体は、ハードディスク１０で例示できる。ハードディスク１０は、ＡＴＡブリッジ（Advanced Technology Attachment Bridge）１０ａにより、制御部１５に設けられたＡＴＡ  Ｉ／Ｆ１５ｂと接続されている。この接続により、制御部１５とハードディスク１０との間でのデータのやり取りが可能になる。なお、ＡＴＡ規格に基づき制御部１５とハードディスク１０とが接続された例を示しているが、ＳＡＴＡ（Serial ATA）規格やＳＣＳＩ（Small Computer System Interface）規格など他の規格に基づいて接続してもよい。
【００３５】
この場合、上記作成部により、仮想ディスクはハードディスク１０内に作成されることになる。例えば、仮想ディスクの名称（ディスク名）、固有の仮想ディスクＩＤ、確保した記録容量（確保した記録領域）、記録容量中の現在の記録済み容量（又は記録時間）などの情報を含む管理ファイルを作成して、ハードディスク１０内に格納しておくことで、仮想ディスクを作成することができる。さらに、管理ファイルには、上記設定部で設定された情報（自動容量拡張処理を実行するか否かの情報）を含ませておくとよいが、上述したように代わりに制御部１５内の内部メモリにこの情報を保存しておいてもよい。
【００３６】
そして、制御部１５は、ハードディスク１０にアクセスする際に、その仮想ディスクＩＤで特定できる管理ファイルにアクセスすることで、その仮想ディスクを通常のディスクと同様に認識して取り扱うことが可能になる。なお、仮想ディスクは、ハードディスク１０内に１つだけ作成されていてもよく、また複数作成されていてもよい。複数作成する場合、同じ容量になるように分割してもよい。さらに、ハードディスク１０内の記録領域全てを仮想ディスクで埋める必要はなく、その場合、残りの領域は単なるハードディスク１０内の通常の記録領域と認識すれば済む。
【００３７】
また、ハードディスク１０は、放送信号が示すデータ、つまり録画データ（映像・音声データ）を保存する際、その録画データを管理するための管理データも保存する。この管理データには、録画データのタイトルや録画時刻などの情報をはじめ、録画データの保存領域などの情報も、通常含まれる。また、管理データは、録画データが仮想ディスクに保存される場合、同じ仮想ディスク内に保存される。また、ハードディスク１０は、複数の仮想ディスクの領域を確保するために、大容量であることが好ましい。
【００３８】
また、ハードディスク１０の代わりに、或いはハードディスク１０と併用する構成で、半導体メモリ（揮発性メモリや不揮発性メモリ）を用いるデータ保存装置（メモリディスクと呼ぶ）などの他の内部記録媒体を、仮想ディスクの作成領域として採用してもよい。このような半導体メモリは、特に、高速性、静音性、消費電力、発熱、耐衝撃性などの観点からハーディスクに比べて有利である。
【００３９】
メモリディスクは、揮発性メモリ又は不揮発性メモリを、同じくＡＴＡブリッジにより制御部１５に設けられたＡＴＡ  Ｉ／Ｆ１５ｂと接続しておけばよい。メモリディスクでも、ここで例示したような規格を採用することで、制御部１５からメモリディスクがハードディスクのように見える。なお、揮発性メモリとしては、例えば、ＳＤＲＡＭ（Synchronous Dynamic Random Access Memory）、他種のＤＲＡＭ（Dynamic RAM）や、擬似ＳＲＡＭ（Pseudo Static RAM）、ＤＤＲ（Double Data Rate）  ＳＤＲＡＭ、ＤＤＲ２  ＳＤＲＡＭ、ＤＤＲ３  ＳＤＲＡＭ、発売が予定されているＤＤＲ４  ＳＤＲＡＭなど、様々なものが挙げられる。また、ここで例示した各揮発性メモリはリフレッシュが必要なものであるが、リフレッシュ不要で僅かな消費電力で記憶保持が可能なＳＲＡＭ（Static RAM）も適用することができる。メモリディスクは、電源制御回路及びバッテリを備えていることが望ましいが、ＡＣ電源が電源制御回路に直接供給されているだけでもよい。
【００４０】
なお、機器構成によっては、可搬記録媒体及びその駆動装置やハードディスクなどでなる記録媒体（記録媒体Ａとする）を録画機器に外部接続しておき、その録画機器においてその記録媒体Ａを連携させて用いることがある。その録画機器と記録媒体Ａとで録画再生装置１で例示した本発明に係る記録装置を構成するため、この記録媒体Ａも上記内部記録媒体の範疇に含まれる。
【００４１】
また、録画再生装置１は、仮想ディスク内のデータを外部の可搬記録媒体にコピー又はムーブさせるために、外部記録媒体の駆動装置の一例としての入出力Ｉ／Ｆ１４を備えている。入出力Ｉ／Ｆ１４は、ＢＤ（Blu-Ray Disc），ＤＶＤ等の外部記録媒体を装着してデータの入出力（書き込み／読み出し）を行う。この外部記録媒体は、ディスク型であるか否かに拘わらず、リムーバブルディスクと呼ばれることもある。なお、外部記録媒体としては、ＵＳＢ（Universal Serial Bus）メモリ等を採用し、その容量に対応する仮想ディスクをハードディスク１０内に作成してもよい。入出力Ｉ／Ｆ１４は、制御部１５に設けたＩ／Ｆ１５ａを介して、制御部１５とのデータのやり取りを行う。入出力Ｉ／Ｆ１４においても、放送信号が示すデータ、つまり録画データ（映像・音声データ）を外部記録媒体に記録する際には、その録画データを管理するための管理データの記録も行う。
【００４２】
また、録画再生装置１は、ハードディスク１０及びＢＤ等の駆動装置（入出力Ｉ／Ｆ１４）を備え、放送等から外部入力されたデータをいずれにも記録することが可能に構成されているが、この構成は、特殊なハードウェア構成を必要とせず、制御部１５内のソフトウェア（ファームウェアともいう）の設計だけで容易であると共に安価な構成となり経済的である。この録画再生装置１は、例えば、デジタルチューナが内蔵されたＢＤ等の駆動装置付きのハードディスクレコーダ、デジタルチューナを外部接続可能なＢＤ等の駆動装置付きのハードディスクレコーダ、ＢＤ等の駆動装置及びハードディスクが内蔵されたテレビ装置又はモニタ装置などとして、適宜構成することができる。なお、録画再生装置１は、上記駆動装置を備える代わりに、或いは備えると共に、外部記録媒体用の外部の駆動装置に接続するために、接続部を備えてもよい。
【００４３】
次に、ハードディスク１０や入出力Ｉ／Ｆ１４を介した外部記録媒体への録画に関して補足する。受信した放送信号が示すデータであるデジタル放送番組（デジタル放送コンテンツ）をそのまま録画する場合、チューナ１２がアンテナ１１から入力された高周波信号（デジタル変調信号）を復調して、制御部１５がハードディスク１０に記録したり、入出力Ｉ／Ｆ１４を介してＢＤ等の各種外部記録媒体に記録したりする。ハードディスク１０に記録する場合には、デフォルト又はユーザ指定された仮想ディスクに記録することも可能となっている。
【００４４】
また、録画再生装置１では、外部記録媒体に記録済みのコンテンツを、入出力Ｉ／Ｆ１４を介してハードディスク１０又はハードディスク１０内のデフォルト／ユーザ指定された仮想ディスクへ、移動又はそのままコピーすることが可能に構成されている。録画再生装置１では、逆に、ハードディスク１０又はハードディスク１０内のデフォルト／ユーザ指定された仮想ディスクに記録済みのコンテンツを、入出力Ｉ／Ｆ１４を介して外部記録媒体へ移動又はそのままコピーすることが可能に構成されている。これらの制御は、ユーザ操作等に基づき制御部１５が実行する。
【００４５】
また、受信したデジタル放送番組を録画する際には、レート変換してから録画してもよい。トランスコーダ１３はこのようなレート変換のために設けられている。トランスコーダ１３は、圧縮符号化された映像データを逆量子化し、量子化ステップ（量子化幅、量子化スケール、量子化係数などとも呼ばれる）を変更して再量子化することで、圧縮処理を行う。また、トランスコーダ１３は、ハードディスク１０や外部記録媒体に記録済みのコンテンツをレート変換して録画することも可能である。本発明では、後述するように、ハードディスク１０内の仮想ディスクの容量拡張することを想定しており、そのような場合に録画データをレート変換（圧縮）することで、拡張前に想定していた外部記録媒体に収容することが可能となる。また、レート変換処理は、入力されたデータに対して規格を変えることなく実行することもできるし、ＭＰＥＧ（Moving Picture Experts Group）−２規格のＴＳデータをＨ．２６４／ＡＶＣ（Advanced Video Coding）規格のＴＳデータへ変換するなど、入力されたデータをそのデータの規格と異なる規格のデータに変換しながら行うことも可能である。
【００４６】
また、トランスコーダ１３の代わりに、圧縮符号化されたデータを復号後に再符号化して記録する装置（エンコーダを含む装置）を採用することもできる。図１の例で説明すると、録画再生装置１において、トランスコーダ１３の代わりにエンコーダを設け、デコーダ１７で復号された映像データをそのエンコーダで再符号化するように構成しておけばよい。また、このエンコーダをトランスコーダ１３と併設して再量子化のみ及び再符号化の双方の処理により圧縮できるように構成することもできる。
【００４７】
また、録画再生装置１をアナログ放送受信可能な構成とし、受信したアナログ放送番組を録画する場合、アンテナ１１から入力された高周波信号（アナログ変調信号）をチューナ１２が復調し、エンコーダがその復調信号を符号化し、符号化したデータを記録に適した形式（例えばプログラムストリーム）に変換してハードディスク１０又は外部記録媒体に記録すればよい。
【００４８】
以下、本発明に係る録画再生装置１における仮想ディスク作成処理の好適な例について図２〜図５を参照しながら説明する。図２は、図１の録画再生装置における仮想ディスク作成処理の一例を説明するためのフロー図である。また、図３は、図２の仮想ディスク作成処理における容量設定画面の一例を示す図、図４は、図２の仮想ディスク作成処理における自動容量拡張設定画面の一例を示す図である。また、図５は、図２の仮想ディスク作成処理における確保先・確保方法設定画面の一例を示す図で、図４の自動容量拡張設定画面において自動容量拡張処理を実行する場合に表示させる確保先・確保方法設定画面の一例を示す図である。
【００４９】
制御部１５は、仮想ディスクを新規に作成する旨のユーザ指示がリモコン等からあった場合に、以下に説明する仮想ディスク作成（新規作成）処理を実行する。まず、制御部１５は、ハードディスク１０内の既存の仮想ディスク名と重複しないようなディスク名をデフォルト＋連番などにより作成し（ステップＳ１）、内部メモリ等に格納しておいた図３のような容量設定画面２８の画像を表示出力部１９から出力して表示装置に表示させる（ステップＳ２）。なお、ここでは、仮想ディスク設定画面２０の内部画面として容量設定画面２８を最初から表示した例を示しているが、画面２８は別途、仮想ディスク設定画面に重ねてポップアップなどで表示させてもよい。
【００５０】
なお、以下では特に断わらないが、表示する画面は、その画面の画像（グラフィカルユーザインターフェース画像）を制御部１５の内部メモリ等に格納しておき、制御部１５がそれを読み出して表示出力部１９から出力して、その画面を表示装置に表示させる。そして、ユーザ指示は、ユーザがこの画面を見ながらリモコン又は本体操作ボタン等を操作して行い、リモコンの場合にはリモコン受信部１６を経て、制御部１５に伝えられ、各種設定がなされると共に次の画像が表示装置に表示されるか画面が映像のみに切り替わる。
【００５１】
仮想ディスク設定画面２０には、デフォルト名（この例では「仮想ディスク１」）２１と共に、容量設定タブ２２、自動容量拡張設定タブ２３、ディスク名変更タブ２４、及びディスク保護設定タブ２５が表示されており、それらのいずれかを選択する操作を行うことで、対応する設定画面が内部画面として表示されるようになっている。なお、図４等で例示するこれらの内部画面もポップアップなどで表示させてもよい。また、仮想ディスク設定画面２０には、現状の設定で登録する場合にユーザが選択するＯＫキー２６と、現状の設定を破棄してこの画面２０を閉じるキャンセルキー２７とが、選択可能に表示されている。
【００５２】
図３に示す容量設定画面２８は、仮想ディスクの容量の選択を促す文章２８ａと共に、選択可能な所定容量として、可搬の外部記録媒体を駆動するための駆動装置で駆動可能な外部記録媒体の記録容量に対応した容量が、選択欄２８ｂに選択可能に表示されている。また、選択欄２８ｂで現在選択されている外部記録媒体（この例では、１層のＤＶＤの１枚分）について、その容量の値（この例では４．７ＧＢ）２８ｃも表示されている。選択欄２８ｂでは、例えば２層のＤＶＤ（８．５ＧＢ）、両面のＤＶＤ（９．４ＧＢ）、１層のＢＤ（２５ＧＢ）、２層のＢＤ（５０ＧＢ）などの中から選択可能になっている。
【００５３】
制御部１５は、選択欄２８ｂによるユーザの選択操作に基づき、「仮想ディスク１」の容量（上述した所定容量）を設定し、ハードディスク１０にその容量の仮想ディスクを作成する（ステップＳ３）。このとき、管理ファイルに、その容量と名称「仮想ディスク１」を登録する。さらに、管理ファイルには、外部記録媒体に応じた録画方式、すなわち録画（記録）フォーマットを自動的に登録しておく。これにより、想定している外部記録媒体にデータを実際にコピー又はムーブするときに、録画方式を変換することなくそのまま実行できる（無論、圧縮が必要な場合には圧縮後にコピー／ムーブする）。このように、ユーザの選択操作により、外部記録媒体の記録容量に対応した容量をハードディスク１０の記録領域から確保することで、仮想ディスクを作成することができる。
【００５４】
次に、制御部１５は、自動容量拡張設定タブ２３が選択されたか否かを判定し（ステップＳ４）、選択された場合には図４の自動容量拡張設定画面３１を内部画面とする仮想ディスク設定画面３０を表示させる（ステップＳ５）。自動容量拡張設定画面３１には、自動的に容量を拡張するような設定にするかを問い合わせる文章３１ａと共に、「する」キー３１ｂと「しない」キー３１ｃとを選択可能に表示させる。制御部１５は、ユーザ選択操作を待ち、そのユーザ選択操作による指示に従って自動容量拡張処理の実行を認めるか否か（つまり自動容量拡張機能を使用するか否か）をその仮想ディスクの管理ファイルに登録する（ステップＳ６）。
【００５５】
次に制御部１５は、登録した設定が自動容量拡張処理を実行する設定であったか否かを判定する（ステップＳ７）。制御部５は、録画先として指定した仮想的なディスクに対して、録画する番組が収まりきらない場合（残量が足りない場合）、自動的に仮想ディスクの容量を拡張し、容量の大きな仮想ディスクとして再設定し、記録時にはその仮想ディスク中に分割されることなく番組を記録するよう制御する。このような拡張分の記録領域は別の領域から確保しなければならない。
【００５６】
従って、まずステップＳ７の判定を行い、ＹＥＳの場合には、図５の拡張処理時の確保先・確保方法の設定画面（確保設定画面という）３３を内部画面として含む仮想ディスク設定画面３２を表示する（ステップＳ８）。確保設定画面３３では、自動容量拡張時の確保先・確保方法として許可するものを選択する操作を促す文章３３ａと共に、異なる確保先・確保方法のチェック欄３３ｂ〜３３ｄを表示している。
【００５７】
チェック欄３３ｂは、録画先として指定された仮想的なディスクとは別の、未記録の仮想的なディスクを解体して、その一部を拡張用領域とすることを許可する場合に、ユーザが選択する。チェック欄３３ｃは、記録されている番組（タイトル）はあるものの未だ空き容量の残っている別の仮想的なディスクの、その空き容量部分を拡張用領域とすることを許可する場合に、ユーザが選択する。このような許可を行ったとき、制御部１５は、確保元の仮想ディスクを最初より容量の小さい仮想ディスクとして再設定する。チェック欄３３ｄは、記録されているタイトルのある別の仮想的なディスクの、視聴済みのタイトルを消去して、その空いた容量部分を拡張用領域とすることを許可する場合に、ユーザが選択する。このような許可を行ったときも、制御部１５は、確保元の仮想ディスクを最初より容量の小さい仮想ディスクとして再設定する。
【００５８】
ユーザが各チェック欄３３ｂ〜３３ｄに行った許可指示（又はいずれも許可しなかった指示）は、制御部１５により、その仮想ディスク（この例では「仮想ディスク１」）の管理ファイルに登録される（ステップＳ９）。
【００５９】
このように、制御部１５（の設定部）は、自動容量拡張処理の実行が許可された仮想ディスクに対して自動容量拡張処理の実行時に拡張用に確保する確保先を、ユーザが設定可能な画面を出力し、ユーザ設定操作に従って確保先を設定することが好ましい。確保先とは、確保先の記録領域を指し、他の仮想ディスクが登録されていない領域のみで確保したいのであれば、どれもチェックしなければよい。一方で、他の仮想ディスクの記録領域で確保してもよい場合には、チェック欄３３ｂ〜３３ｄのいずれかをチェックすればよい。また、制御部１５（の設定部）は、確保先と併せて、その確保先を確保する方法（確保するための前処理の方法、つまり確保先の記録領域の確保方法）をユーザが設定可能な画面を出力し、ユーザ設定操作に従って方法を設定することが好ましい。この方法の設定は、確保設定画面３３で例示したように、主に確保先として既存の仮想ディスクが許可されている場合に有益になる。
【００６０】
ステップＳ４，Ｓ７でＮＯの場合及びステップＳ９の処理後、制御部１５は、ディスク名変更タブ２４が選択されたか否かを判定する（ステップＳ１０）。ステップＳ１０でＹＥＳの場合、制御部１５は、図示しないディスク名変更画面を内部画面として表示させて、ユーザ操作を待ち、そのユーザ操作による指示に従って仮想ディスクの名称を「仮想ディスク１」から変更してその仮想ディスクの管理ファイルに登録する（ステップＳ１１）。名称を変更した場合には、以降の画面でもデフォルト名２１の位置に変更後の名称が表示される。
【００６１】
ステップＳ１０でＮＯの場合及びステップＳ１１の処理後、制御部１５は、ディスク保護設定タブ２５が選択されたか否かを判定する（ステップＳ１２）。ステップＳ１２でＹＥＳの場合、制御部１５は、図示しないディスク保護設定画面を内部画面として表示させて、ユーザ操作を待ち、そのユーザ操作による指示に従ってその仮想ディスクの保護設定の内容を変更してその仮想ディスクの管理ファイルに登録する（ステップＳ１３）。なお、保護設定としては、例えばその仮想ディスクが消去不可であるか否かなどといった情報が設定され、それに従って保護制御がなされる。
【００６２】
ステップＳ１２でＮＯの場合及びステップＳ１３の処理後、制御部１５は、容量設定タブ２２が選択されたか否かを判定し（ステップＳ１４）、ＹＥＳであればステップＳ２へ戻り、ＮＯであれば、ＯＫキー２６が選択されたか否かを判定する（ステップＳ１５）。ステップＳ１５でＹＥＳの場合、制御部１５は、ステップＳ３，Ｓ６，Ｓ８，Ｓ９，Ｓ１１（又はＳ１），Ｓ１３で設定登録された情報をその仮想ディスクの管理ファイルに登録したまま、画面を閉じる（ステップＳ１６）。ステップＳ１５でＮＯの場合、制御部１５は、キャンセルキー２７が選択されたか否かを判定し（ステップＳ１７）、ＮＯであればステップＳ４へ戻り、ＹＥＳであれば上記設定登録された情報をその仮想ディスクの管理ファイルから破棄して、或いはその仮想ディスク自体（言い換えると管理ファイル自体）を削除して、画面を閉じる（ステップＳ１８）。
【００６３】
次に、既存の仮想ディスクの設定変更処理について図６を参照しながら簡単に説明する。図６は、図１の録画再生装置における仮想ディスク設定変更処理で表示させる既存の仮想ディスクの設定変更画面の一例を示す図である。
【００６４】
制御部１５は、既存の仮想ディスクの設定を変更する旨のユーザ指示がリモコン等からあった場合に、以下に説明する仮想ディスク設定変更処理を実行する。まず、制御部１５は、既存の仮想ディスクに対する容量変更画面３５を内部画面として含む仮想ディスク設定画面３４を表示する。勿論、最初に表示する内部画面は他のタブに関するものであってもよい。
【００６５】
仮想ディスク設定画面３４では、図３の仮想ディスク設定画面２０におけるデフォルト名２１の表示領域などに、変更の対象となるディスクの選択を促す文章と共に、既存の仮想ディスク（この例ではドラマＡディスク２１ａ、アニメＢディスク２１ｂ、及びサッカーディスク２１ｃとそれぞれ命名された仮想ディスク）が表示される。各仮想ディスクにはその容量に相当するように設定されている外部記録媒体の種類も表示されており、同時に容量（例えば４．７ＧＢ）も表示させてもよい。容量設定画面３５では、希望する容量の選択を促す文章３５ａと共に選択欄３５ｂ及び選択中の容量の値３５ｃを表示している。また、新規に仮想ディスクを作成する場合に対応するために、新規の仮想ディスク２１ｄの画像も表示しておくとよい。この画像が選択されると、図３の仮想ディスク設定画面２０に移行すればよい。
【００６６】
そして、制御部１５は、変更対象の仮想ディスクの選択を受け付け、その仮想ディスクの上記所定容量を選択欄３５ｂでのユーザ選択に基づき変更して、その仮想ディスクの管理ファイルに登録する。このように、制御部１５は、既に作成された仮想ディスクに対して、上記所定容量を、駆動装置で駆動可能な外部記録媒体の記録容量に対応した容量の間で、ユーザに設定変更させることが可能に構成されている。同様に、自動容量拡張設定、ディスク名変更、ディスク保護設定などの変更操作を各タブ２３〜２５から各内部画面を開いて受け付け、その変更操作に基づき設定を変更して、変更対象の仮想ディスクの管理ファイルに登録する。キャンセルキー２７が選択された場合には、ここで変更設定された情報を破棄して設定を元に戻して画面を閉じ、ＯＫキー２６が選択された場合には、ここで変更設定された情報を登録したまま画面を閉じる。
【００６７】
次に、上述した自動容量拡張処理が実行される例として、図７〜図９を参照して予約録画処理について説明する。図７は、図１の録画再生装置における予約録画処理の一例を説明するためのフロー図で、図８は、図７に続くフロー図である。また、図９は、図７及び図８の予約録画処理において表示される録画予約確認画面の一例を示す図である。
【００６８】
予約録画処理のために、録画再生装置１は、仮想ディスクにデータとして放送番組（放送番組の映像・音声データ）を記録する予約をユーザが設定可能な画面を出力し、ユーザ設定操作に従って予約を設定する予約設定部をさらに備える。この予約設定部も制御部１５内のプログラム及び予約画面の画像と、リモコン及びリモコン受信部１６や本体操作ボタンと、表示出力部１９（及び表示装置）とで実現できる。予約画面の画像は、放送信号から取得した付加情報や別途取得した番組情報から所謂ＥＰＧ（電子番組表）画像を構成して生成するなどすればよい。
【００６９】
まず、制御部１５は、表示させたＥＰＧ等でユーザ指示を受け付け、そのユーザ指示に基づき予約番組を設定する（ステップＳ２１）。続いて、制御部１５は、録画先の仮想ディスクをデフォルトの仮想ディスクに設定し（ステップＳ２３）、図９の録画予約確認画面４０を表示させる。録画予約確認画面４０では、予約された放送番組の番組名や放送時間などの情報４１や、その詳細な番組情報４２などと共に、現在録画先として設定されている仮想ディスク４３ａを仮想ディスクの選択欄４３と共に表示している。なお、警告画面４４については、後述するように表示する場合と表示しない場合がある。
【００７０】
制御部１５は、選択欄４３でのユーザ選択による録画先の仮想ディスクの変更指示があったか否かを判定し（ステップＳ２４）、ＹＥＳの場合、その変更指示に従って録画先の仮想ディスクを変更する（ステップＳ２５）。ステップＳ２４でＮＯの場合及びステップＳ２５の処理後、制御部１５は、録画先の仮想ディスクの管理ファイルをハードディスク１０から読み出し（ステップＳ２６）、この仮想ディスクに予約した放送番組がそのまま録画可能であるか否かを判定する（ステップＳ２７）。なお、ここでは説明の簡略化のため、そのまま録画可能か否かの判定を行っているが、実際には、録画予約時に設定された画質で録画可能であるかの判定を行う。
【００７１】
また、ステップＳ２７では、録画先の仮想ディスクが自動容量拡張処理の実行が許可されたディスクか否かもその管理ファイルから判定し、許可されていないディスクであればその仮想ディスクの容量と予約番組に必要な容量（録画時の画質を加味したデータ量）とを比較するとで、録画可能であるか否かを判定する。一方、許可されているディスクであれば、その仮想ディスクの拡張可能領域をチェックして判定し、その仮想ディスクの容量と拡張可能領域の容量とを合わせた容量と、予約番組に必要な容量（録画時の画質を加味したデータ量）とを比較することで、録画可能であるか否かを判定する。このとき、拡張可能領域は、図５のチェック欄３３ｂ〜３３ｄのチェック結果に従うだけでなく、確保先の仮想ディスクに対する録画予約の有無やその録画データの予定容量も併せて鑑みて、判定することが望ましい。
【００７２】
ステップＳ２７でＹＥＳの場合、制御部１５は、録画先の仮想ディスクが自動容量拡張処理が予約番組に対して必要で且つ実行可能か、否かを判定し（ステップＳ２８）、ＹＥＳであれば、その仮想ディスクに対して必要分の容量拡張処理を施してその管理ファイルを書き換える（ステップＳ２９）。なお、ステップＳ２８の判定は、実際にはステップＳ２７での判定結果を利用すれば済む。また、自動容量拡張処理は、選択欄２８ｂで選択可能な容量（つまり駆動装置で駆動可能な外部記録媒体の記録容量）とは無関係に上記所定容量を拡張するようにすればよい。
【００７３】
このように、制御部１５は、自動容量拡張処理の実行が許可された仮想ディスクに対して予約設定された放送番組がその仮想ディスクの容量を超える放送番組であった場合（つまり所定容量を超えるような録画予約を行った場合）、その仮想ディスクに対して自動容量拡張処理を実行する。
【００７４】
ステップＳ２８でＮＯの場合及びステップＳ２９の処理後、制御部１５は、予約を確定して録画予約確認画面４０を閉じて（ステップＳ３６）、予約日時の到来を待ち（ステップＳ３７）、その録画先の仮想ディスクに予約番組を録画する（ステップＳ３８）。ここで、仮想ディスクに録画していく場合、その管理ファイル内の情報に従って、想定していた外部記録媒体の記録（録画）フォーマットに従った録画を行う。
【００７５】
また、自動容量拡張処理を実行してから、予約設定された放送番組の録画を拡張後の仮想ディスクに実行するように説明したが、その代わりに、録画実行中に、所定容量を超える手前で自動容量拡張処理を実行して、拡張後の仮想ディスクに対して録画を継続するようにしてもよい。ここで、仮想ディスクの容量と録画時に計測した記録量との差から、仮想ディスクにおける記録残量を演算して、その記録残量が所定量以下となったときに、自動容量拡張処理を実行すればよい。なお、予約日時の到来前に予約内容のうち録画先の仮想ディスクに対する変更をユーザが行った場合にはステップＳ２３から再度処理を実行すればよい。
【００７６】
ステップＳ２７でＮＯの場合、制御部１５は、録画先の仮想ディスクに応じた録画方法の選択画面（警告画面４４）を録画予約確認画面４０の内部画面又はポップアップ画面として表示する（ステップＳ３０）。警告画面４４では、予約した放送番組に対して録画先の仮想ディスクの容量が足らない旨の警告文４４ａを表示すると共に、次の操作を促す操作誘導文４４ｂ〜４４ｅを選択可能に表示している。
【００７７】
操作誘導文４４ｃでは、自動容量拡張処理を行ってから予約することが記述されている。制御部１５は、これをユーザが選択したか否かを判定し（ステップＳ３１）、ＹＥＳの場合には、ステップＳ２９へ進んで予約番組に応じた自動容量拡張処理を施した後、ステップＳ３６へ進む。
【００７８】
なお、ここでのステップＳ２９の処理に関して、図８のフローでは紙面の関係上、流れを図示していないが、実際には次のような処理を行うとよい。すなわち、元々自動容量拡張処理を許可していない仮想ディスクであるか否かを判定し、許可していなかった場合には、その仮想ディスクに対して、自動容量拡張処理の実行を一時的に許可するか今後も許可するように登録内容を変更し、一方で元々許可している仮想ディスクであった場合には、ステップＳ２７の判定でＮＯであった後の処理であることからも分かるようにこれ以上は拡張できないため、例えばステップＳ３３へ進み、画質を収まるように変更するとよい。
【００７９】
操作誘導文４４ｂでは、録画画質を変更して予約することが記述されている。ステップＳ３１でＮＯの場合、制御部１５は、これをユーザが選択したか否かを判定し（ステップＳ３２）、ＹＥＳの場合には、録画の画質をその仮想ディスクの容量（若しくは拡張可能分だけ拡張後の容量）に収まるように画質を変更し（ステップＳ３３）、ステップＳ３６へ進む。
【００８０】
このように、録画再生装置１は次の警告部をさらに備えることが好ましい。この警告部は、自動容量拡張処理の実行が許可されていない仮想ディスクに対して予約設定された放送番組が、その仮想ディスクの容量を超える放送番組であった場合に、警告文及び操作誘導文を含む警告画面を出力する。上述したように、実行が許可されていても確保先が足らない場合にもこの画面を出力することが望ましい。この警告部も制御部１５内のプログラム及び画面の画像と、リモコン及びリモコン受信部１６や本体操作ボタンと、表示出力部１９（及び表示装置）とで実現できる。
【００８１】
操作誘導文４４ｄでは、このまま予約することが記述され、操作誘導文４４ｅでは、予約しないことが記述されている。ステップＳ３２でＮＯの場合、制御部１５は、操作誘導文４４ｄが選択されたか否かを判定し（ステップＳ３４）、ＹＥＳの場合にはステップＳ３５に進み予約を確定する。この場合、このまま予約はするが、仮想ディスクが足りる範囲で録画を実行すればよい。ステップＳ３４でＮＯの場合、制御部１５は、操作誘導文４４ｅが選択されたか否かを判定し（ステップＳ３５）、ＹＥＳの場合には予約を確定することなく（つまり予約を破棄して）そのまま処理を終了する。一方、ステップＳ３５でＮＯの場合には、ステップＳ２４へ戻り、再度、同様の各ユーザ指示を待つ。
【００８２】
このように、録画再生装置１では、ハードディスク１０に仮想ディスクを作成してその仮想ディスクに放送番組等のデータを記録する場合、図４や図２のステップＳ５，Ｓ６等で説明したように自動的に容量を拡張する処理の実行をユーザが設定できる。従って、その設定に基づくステップＳ２９で説明したような処理が可能になり、そのデータが異なる仮想ディスクに分かれて記録されてしまうことを防ぐことができる。つまり、記録する番組のデータ量が分からなくても、１つの放送番組が１つの仮想的なディスク内に記録されることで、その後の再生や編集、ダビングなどのユーザの操作が容易になる。事前に画質を落として固定容量のディスク領域に記録するのと違い、記録後に不要シーンを削除してから所定容量に収まるようにダビングすることができるので、前者と比べ相対的に画質を向上させることができる。
【００８３】
次に、上述した自動容量拡張処理が実行される他の例として、ワンタッチ録画処理について簡単に説明する。ワンタッチ録画処理のために、録画再生装置１は、仮想ディスクにデータとして現在放送中の放送番組を記録するユーザ指示操作を受け付ける記録指示受付部（ワンタッチ録画指示部）をさらに備える。この記録指示受付部は、制御部１５内のプログラムと、リモコン及びリモコン受信部１６や本体操作ボタンとで実現でき、受け付けた指示に従って録画処理を実行する。
【００８４】
制御部１５は、リモコンの録画キー等からの録画指示（ワンタッチ録画指示）を待ち、録画指示があった場合、録画先の仮想ディスクの変更画面を表示する。この画面は、例えば図６の各仮想ディスク２１ａ〜２１ｃ，新規仮想ディスク２１ｄで例示したような、各仮想ディスクが選択可能に表示された画面でよい。この画面において、制御部１５は録画先変更指示があったか否かを判定し、あれば録画先の仮想ディスクをその指示に基づき変更し、なければそのままの録画先を維持する。そして、制御部１５はその仮想ディスクに対して録画を指示することで、現在放送中の番組の録画が実行され、その仮想ディスクに録画データが蓄積されていく。
【００８５】
制御部１５は、録画データの蓄積中に、容量オーバーであるか否かを判定する。ここでも、上述した記録残量の閾値処理（記録残量が所定値以下になるか否かの判定）により本当に容量オーバーになる前に容量オーバーであると判定する。そして、制御部１５は、容量オーバーであった場合に、録画先の仮想ディスクが自動容量拡張処理の実行が許可されているディスクであるか否かを判定し、ＹＥＳの場合にはできるだけ余裕を持った容量に拡張（つまり自動容量拡張処理を実行）し、ＮＯの場合には新規に仮想ディスクを作成してその時点からの録画をそこに実行するか、既存の他の仮想ディスクにその時点からの録画を実行するか、録画を停止するか、画質を変えて録画を継続するなどすればよい。
【００８６】
また、容量オーバーと判定された場合、図９の警告画面４４を表示させて、そこでのユーザ指示に基づいて録画予約時と同様の処理を実行してもよい。 このように、録画再生装置１は、ワンタッチ録画に対しても、予約録画に関して上述した警告部と同様の警告部を備えることが好ましい。ワンタッチ録画用の警告部は、自動容量拡張処理の実行が許可されていない仮想ディスクに対して記録指示された放送番組を記録している場合、その仮想ディスクの記録残量が所定量以下となったときに警告文及び操作誘導文を含む警告画面を出力する。また、実行が許可されていても確保先が足らなくなっている場合にもこの画像を出力することが望ましい。
【００８７】
次に、仮想ディスク内に記録した録画データを外部記録媒体にコピー又はムーブする処理について説明する。図１０は、図１の録画再生装置におけるコピー／ムーブ処理の一例を説明するためのフロー図で、図１１は、図１０のコピー／ムーブ処理において表示されるコピー／ムーブ元仮想ディスク選択画面の一例を示す図である。
【００８８】
制御部１５は、ユーザ指示がコピー又はムーブを行う指示であった場合に、図１１のコピー／ムーブ処理画面５０を表示させる（ステップＳ４１）。コピー／ムーブ処理画面５０には、仮想ディスクの選択を促す文章５１を表示すると共に、既存の仮想ディスク５２ａ〜５２ｄが選択可能に表示されている。既存の仮想ディスク５２ａ〜５２ｄの表示方法は図６のそれと同様である。また、コピー／ムーブ処理画面５０には、コピー実行キー５３、ムーブ実行キー５４、及びキャンセルキー５５も選択可能に表示されている。
【００８９】
制御部１５は、既存の仮想ディスク５２ａ〜５２ｄのうち、ユーザによる選択指示に基づきコピー／ムーブ元の仮想ディスクを設定し（ステップＳ４２）、その仮想ディスクが現在装着されている外部記録媒体（可搬ディスクとする）に容量・記録フォーマットの点で対応しているか否かを判定する（ステップＳ４３）。
【００９０】
ステップＳ４３でＹＥＳの場合には、仮想ディスク内の録画データを可搬ディスクにコピーする（ステップＳ４８）。ステップＳ４３でＮＯの場合、制御部１５は、対応する可搬ディスクへの取り替えや圧縮許可をユーザに要請する（ステップＳ４４）。制御部１５は、この要請に対して、取り替えがあったか否かを判定し（ステップＳ４５）、ＹＥＳの場合、ステップＳ４３に戻って取り替え後の可搬ディスクに基づく判定を行う。ステップＳ４５でＮＯの場合、制御部１５は圧縮許可が指示されたか否かを判定し（ステップＳ４６）、ＮＯの場合にはステップＳ４８に進んで可能な分だけコピーを実行し、ＹＥＳの場合には可搬ディスクに収まるように録画データを圧縮してから或いは圧縮を実行しながら（ステップＳ４７）、ステップＳ４８に進んでコピーを実行する。なお、ステップＳ４８又はステップＳ４７では、可搬ディスクの記録フォーマットと合っていなければ録画データの変換も実行すればよい。
【００９１】
ステップＳ４８の処理後、制御部１５は、ステップＳ４２の選択指示の後になされたユーザ指示が、コピー実行キー５３の選択ではなくムーブ実行キー５４の選択であるか否かを判定する（ステップＳ４９）。ステップＳ４９でＹＥＳの場合にのみ、指定された仮想ディスクを削除する（ステップＳ５０）。ここで、仮想ディスクの管理ファイルも削除して、仮想ディスク自体を削除してもよいし、仮想ディスク内のデータのみを削除してもよい。どのような削除の方法を採用するかもユーザ設定できるようにしておくことが好ましい。
【００９２】
ステップＳ４２の選択時点で、或いはコピー／ムーブ処理を開始する前に、仮想ディスク内の録画データをユーザ指示に従って再生させるなどしながら不要なシーンを削除しておくとよい。これにより、１枚の所定の可搬ディスクに記録できる最高の画質で移すことができる。つまり、録画データを、可能な限り高画質でしかも１枚の可搬ディスクに記録することができる。
【００９３】
以上、録画再生装置１での処理として、ハードディスク１０に放送番組のデータを記録する方法を説明したように、本発明は、外部から入力されたデータを記録するための内部記録媒体を備えた記録装置における記録方法としての形態も採用できる。本発明に係る記録方法は、図１の構成例で説明すると、制御部１５が、ハードディスク１０に、所定容量の記録領域を確保することで仮想ディスクを作成する作成ステップを含むものである。
【００９４】
そして、この記録方法は、その主たる特徴として、制御部１５が、作成ステップで作成された仮想ディスクに対して、上記所定容量を自動的に拡張する自動容量拡張処理の実行を許可するか否かをユーザが選択可能な画面を表示出力部１９から出力して、リモコンや本体の操作ボタンなどからのユーザ選択操作を受け付け、受け付けたユーザ選択操作に従って許可するか否かを設定する設定ステップをさらに含む。その他の応用については、録画再生装置１における処理として説明したものと同様であり、その説明を省略する。
【符号の説明】
【００９５】
１…録画再生装置、１０…ハードディスク、１０ａ…ＡＴＡブリッジ、１１…アンテナ、１２…チューナ、１３…トランスコーダ、１４…入出力Ｉ／Ｆ、１５…制御部、１５ａ…Ｉ／Ｆ、１５ｂ…ＡＴＡ  Ｉ／Ｆ、１６…リモコン受信部、１７…デコーダ、１８…音声出力部、１９…表示出力部、２０，３０…仮想ディスク設定画面、２１…デフォルト名、２２…容量設定タブ、２３…自動容量拡張設定タブ、２４…ディスク名変更タブ、２５…ディスク保護設定タブ、２６…ＯＫキー、２７…キャンセルキー、２８…容量設定画面、３１…自動容量拡張設定画面、３１ａ…問い合わせ文章、３１ｂ…「する」キー、３１ｃ…「しない」キー。
【図１】
2010198712.tif 000003
【図２】
2010198712.tif 000004
【図３】
2010198712.tif 000005
【図４】
2010198712.tif 000006
【図５】
2010198712.tif 000007
【図６】
2010198712.tif 000008
【図７】
2010198712.tif 000009
【図８】
2010198712.tif 000010
【図９】
2010198712.tif 000011
【図１０】
2010198712.tif 000012
【図１１】
2010198712.tif 000013